(57)【要約】【課題】シートフィードタイプであっても、ガイド部材のレンズ部材側の内面を清掃することを可能にする画像読取装置を提供する。【解決手段】画像読取装置にあって、センサシャーシ４の内部におけるロッドレンズアレイ５とコンタクトガラス６との隙間Ｄに移動可能に配置され、磁性特性を有する磁性部とコンタクトガラス６を清掃し得る清掃部７３とを有する清掃部材７を備える。清掃部材７は、コンタクトガラス６を介して外部から操作部材８に磁着された際に、操作部材８の移動操作によってコンタクトガラス６に対して清掃部７３を摺動する。これにより、密閉されたシートフィードタイプの画像読取装置であっても、操作部材８によって外部からコンタクトガラス６のロッドレンズアレイ５側の内面を清掃することができる。【選択図】図３
2014014032.tif 000002
【特許請求の範囲】
【請求項１】
搬送される原稿をガイドする少なくとも一部が透明なガイド部材と、
搬送中の原稿に前記ガイド部材を介して照射する照射ユニットと、
前記ガイド部材に対向配置され、前記照射ユニットの照射による原稿からの反射光を導くレンズ部材と、
前記レンズ部材を介して前記反射光を受光して電気信号に変換する読取センサと、
前記ガイド部材により閉塞されることにより、前記照射ユニット、前記レンズ部材、前記読取センサを内包して支持するシャーシ部材と、
前記シャーシ部材の内部における前記レンズ部材と前記ガイド部材との隙間に移動可能に配置され、磁性特性を有する磁性部と前記ガイド部材を清掃し得る清掃部とを有する清掃部材と、を備え、
前記清掃部材は、前記ガイド部材を介して外部から操作部材に磁着された際に、前記操作部材の移動操作によって前記ガイド部材に対して前記清掃部を摺動し得る、
ことを特徴とする画像読取装置。
【請求項２】
前記清掃部材は、前記レンズ部材を介して前記読取センサによる主走査方向の走査範囲よりも主走査方向に長い範囲で移動可能に配置されてなり、
前記清掃部材の移動可能な範囲における前記走査範囲よりも外側に配置され、前記清掃部材を収納する収納部を備えた、
ことを特徴とする請求項１に記載の画像読取装置。
【請求項３】
前記収納部は、前記レンズ部材の主走査方向の端部よりも外側に配置されてなり、
前記清掃部材を前記ガイド部材から離間する方向に付勢する付勢部材を備え、
前記清掃部材は、前記収納部にて、前記付勢部材により前記レンズ部材の側面に重なる位置まで付勢されて、前記レンズ部材により移動が規制されてなる、
ことを特徴とする請求項２に記載の画像読取装置。
【請求項４】
前記付勢部材の付勢力は、前記操作部材と前記磁性部との磁着力よりも小さい、
ことを特徴とする請求項３に記載の画像読取装置。
【請求項５】
前記シャーシ部材に対して固定され、前記収納部にて、前記レンズ部材との間で前記清掃部材を保持する保持部材を有する、
ことを特徴とする請求項２に記載の画像読取装置。
【請求項６】
前記保持部材の保持力は、前記操作部材と前記磁性部との磁着力よりも小さい、
ことを特徴とする請求項５に記載の画像読取装置。
【請求項７】
前記収納部にあって前記ガイド部材と前記清掃部材との間に介在し、外部から前記清掃部材の少なくとも一部を視認不能にする遮蔽部を備えた、
ことを特徴とする請求項２ないし６のいずれか１項に記載の画像読取装置。
【請求項８】
前記照射ユニットは、前記レンズ部材に対して主走査方向の一方側に配置される光源を有し、
前記収納部は、前記レンズ部材に対して主走査方向の他方側に配置される、
ことを特徴とする請求項２ないし７のいずれか１項に記載の画像読取装置。
【請求項９】
前記清掃部材は、少なくとも前記レンズ部材に対向し得る部分が低反射色からなる、
ことを特徴とする請求項１ないし８のいずれか１項に記載の画像読取装置。
【請求項１０】
前記清掃部材は、前記ガイド部材に対向する部分が、前記シャーシ部材と異なる色からなる、
ことを特徴とする請求項１ないし９のいずれか１項に記載の画像読取装置。
【請求項１１】
前記清掃部材の移動可能な範囲の端部に配置され、粘着性を有する粘着部材を備えた、
ことを特徴とする請求項１ないし１０のいずれか１項に記載の画像読取装置。
【発明の詳細な説明】
【技術分野】
【０００１】
本発明は、複写機、ファックス、ドキュメントスキャナなどに備えられ、搬送される原稿をガイド部材でガイドしつつ原稿の画像を読取る画像読取装置に関する。
【背景技術】
【０００２】
従来、複写機、ファックス、ドキュメントスキャナなどには、原稿の画像を読取る画像読取装置が搭載されている。画像読取装置には、画像を読取る読取センサを固定し、原稿を透明なコンタクトガラス上で搬送して画像を読取るシートフィードタイプと、原稿台ガラスに原稿を載置し、読取センサを移動して画像を読取るフラットベッドタイプとがある。
【０００３】
ところで、原稿が接触するガラスは、画像読取装置の本体に例えば両面テープや接着剤などで固着されているが、例えば製造工程上でガラスよりも内部にゴミや埃などの異物が侵入してしまう虞もある。この異物が例えば静電気等でガラスの内面に付着すると、その異物を読取センサで走査してしまい、読取画像にスジが入る等、読取画像の品質の低下が発生してしまう。
【０００４】
そこで、フラットベッドタイプの画像読取装置において、蛍光灯ユニットに清掃手段（ブラシ）を取付け、原稿画像の読取時などに、原稿台ガラスの内面を清掃するものが提案されている（特許文献１参照）。
【先行技術文献】
【特許文献】
【０００５】
【特許文献１】特開平６−２３７３４４号公報
【発明の概要】
【発明が解決しようとする課題】
【０００６】
上記フラットベッドタイプの画像読取装置においては、蛍光灯ユニットが移動するので原稿台ガラスの内面を清掃することが可能であるが、シートフィードタイプでは、読取センサが移動しない。従って、シートフィードタイプの画像読取装置においては、上記特許文献１の手法ではコンタクトガラスの内面を清掃できないという問題があった。
【０００７】
そこで本発明は、シートフィードタイプであっても、ガイド部材のレンズ部材側の内面を清掃することを可能にする画像読取装置を提供することを目的とするものである。
【課題を解決するための手段】
【０００８】
本発明に係る画像読取装置は、搬送される原稿をガイドする少なくとも一部が透明なガイド部材と、搬送中の原稿に前記ガイド部材を介して照射する照射ユニットと、前記ガイド部材に対向配置され、前記照射ユニットの照射による原稿からの反射光を導くレンズ部材と、前記レンズ部材を介して前記反射光を受光して電気信号に変換する読取センサと、前記ガイド部材により閉塞されることにより、前記照射ユニット、前記レンズ部材、前記読取センサを内包して支持するシャーシ部材と、前記シャーシ部材の内部における前記レンズ部材と前記ガイド部材との隙間に移動可能に配置され、磁性特性を有する磁性部と前記ガイド部材を清掃し得る清掃部とを有する清掃部材と、を備え、前記清掃部材は、前記ガイド部材を介して外部から操作部材に磁着された際に、前記操作部材の移動操作によって前記ガイド部材に対して前記清掃部を摺動し得ることを特徴とする。
【発明の効果】
【０００９】
本発明によると、清掃部材を、シャーシ部材の内部にあって、レンズ部材とガイド部材との隙間に移動可能に配置する。そして、内部に配置された清掃部材を、ガイド部材を介して外部から操作部材に磁着し、操作部材の移動操作によってガイド部材に対して摺動し得る。これにより、密閉されたシートフィードタイプの画像読取装置であっても、操作部材によって外部からガイド部材のレンズ部材側の内面を清掃することができる。従って、異物を簡単に除去することができ、読取画像の品質の低下を防止することができる。また、清掃のためにガイド部材を外すことも不要となり、清掃の作業性を向上できる。
【図面の簡単な説明】
【００１０】
【図１】画像読取装置の一例としてのドキュメントスキャナを示す概略断面図。
【図２】画像読取部を示す側方断面図。
【図３】画像読取部を示す正面断面図で、（ａ）は清掃部材が収納位置にある図、（ｂ）は清掃部材による清掃時の図。
【図４】清掃部材の動作を示す説明図で、（ａ）は曲部の付勢力で付勢された状態の図、（ｂ）は操作部材に磁着した状態の図。
【図５】清掃部材の構造を示す図で、（ａ）は側面図、（ｂ）は上方視図、（ｃ）は正面図。
【図６】第２の実施の形態に係る画像読取部を示す正面断面図。
【図７】第３の実施の形態に係る清掃部材の構造を示す図で、（ａ）は上方視図、（ｂ）は正面図。
【図８】第４の実施の形態に係る画像読取部を示す正面断面図。
【図９】第４の実施の形態に係る清掃部材の構造を示す図で、（ａ）は側面図、（ｂ）は上方視図。
【図１０】第５の実施の形態に係る画像読取部を示す正面断面図。
【発明を実施するための形態】
【００１１】
＜第１の実施の形態＞
以下、本発明に係る第１の実施の形態を図１乃至図５に沿って説明する。図１に示すように、画像読取装置１０１の一例としてのドキュメントスキャナは、搬送路の上流端に、原稿Ｓを積載する積載部１０２及び給紙トレイ１０３が設けられている。積載部１０２に積載された原稿Ｓは、搬送路を挟むように互いに対向配置されたフィードローラ１０６及びリタードローラ１０７によって一枚ずつに分離された状態で搬送路に給送される。フィードローラ１０６及びリタードローラ１０７の原稿Ｓの挿入口１０５近傍には、原稿を検知する反射型のセンサ１０４が原稿Ｓの下面側に位置して配置されている。
【００１２】
なお、本実施の形態では、搬送路の下側にフィードローラ１０６を配置し、搬送路の上側にリタードローラ１０７を配置して、積載部１０２に積載された原稿束の最下面の原稿Ｓから順次搬送路に分離給送する。しかし、これに限らず、搬送路の上側にフィードローラを配置し、搬送路の下側にリタードローラを配置して、積載部１０２に積載された原稿束の最上面の原稿Ｓから順次搬送路に分離給送するようにしてもよい。
【００１３】
搬送路に分離給送された原稿Ｓは、搬送ローラ対１０８によって画像読取部１０９及び画像読取部１１０に搬送され、まず、画像読取部１１０で上面の画像が読み取られた後、画像読取部１０９で下面の画像が読み取られる。両面の画像が読み取られた原稿Ｓは、排紙ローラ対１１１によって下流側に搬送され、排紙トレイ１１２に排出される。
【００１４】
次に、画像読取部について、搬送路を搬送される原稿Ｓの下面側の画像を読み取る画像読取部１０９を例として図２及び図３に沿って説明する。図２に示すように、画像読取部１０９は、ラインセンサ（読取センサ）１と、センサ基板２と、照射ユニット３と、ロッドレンズアレイ（レンズ部材）５と、センサシャーシ４（シャーシ部材）と、コンタクトガラス（ガイド部材）６と、清掃部材７とを備えている。
【００１５】
センサシャーシ４は、上述した搬送路に向く側に、開口部４ａが形成されており、開口部４ａを閉塞するようにコンタクトガラス６が固着されている。コンタクトガラス６は、上述した搬送路を搬送される原稿Ｓをガイドするように構成されており、画像を読み取るために透明な材料からなる。また、センサシャーシ４は、上記搬送路から離れた側に、開口部４ｂが形成されており、開口部４ｂを閉塞するようにラインセンサ１が配設されたセンサ基板２が固着されている。これにより、画像読取部１０９のセンサシャーシ４の内部空間は、密閉構造となるように構成されている。
【００１６】
なお、コンタクトガラス６は、特に低価格機において、図示しない両面テープ又は接着等によってセンサシャーシ４に固着される場合が多い。また、センサシャーシ４にコンタクトガラス６やセンサ基板２を固着する際には、外部からゴミや埃などの異物が入らないように隙間無く固着される。しかし、仮に固着時において、センサシャーシ４の内部空間にゴミや埃などの異物が入ると、その内部空間に取り残されることになる。
【００１７】
センサシャーシ４内には、上記開口部４ａ及びコンタクトガラス６を介して搬送路を搬送される原稿Ｓに光を照射する照射ユニット３と、該照射ユニット３より照射された光の原稿Ｓからの反射光をラインセンサ１に導くロッドレンズアレイ５とが配置されている。ロッドレンズアレイ５は、搬送路を搬送される原稿Ｓの下面とラインセンサ１上に焦点位置を有しており、ラインセンサ１は、ロッドレンズアレイ５を介して上記反射光を受光する。即ち、センサシャーシ４内には、照射ユニット３と、ロッドレンズアレイ５と、ラインセンサ１とが内包されて支持されている。
【００１８】
上記ラインセンサ１は、図３（ａ）及び図３（ｂ）に示すように、主走査方向に延びるようにセンサ基板２上に敷設されており、本実施の形態では、ロッドレンズアレイ５の主走査方向の長さが略々ラインセンサ１に対応する長さに形成されている。センサシャーシ４の開口部４ａ及びそれを閉塞するコンタクトガラス６は、ラインセンサ１やロッドレンズアレイ５よりも主走査方向に長い長さを有している。また、センサシャーシ４のロッドレンズアレイ５の側面を支持する側面支持部４ｃは、その搬送路側の面が、ロッドレンズアレイ５の搬送路側の上面よりも搬送路から離れる側に位置している。
【００１９】
従って、側面支持部４ｃとロッドレンズアレイ５とは段差状に構成されており、その側面支持部４ｃの搬送路側（走査範囲の外側）の空間は、後述する清掃部材７を収納するための収納部１０を形成している。なお、この収納部１０にあって、主走査方向における清掃部材の移動可能な範囲の端部となる部分には、粘着性を有する粘着部材９がセンサシャーシ４に接着される形で配置されている。また、この収納部１０とは主走査方向の反対側（一方側）端部（図３では図示を省略した側）には、照射ユニット３の光源が配置される。このように、粘着部材９を照射ユニット３の光源と逆側（他方側）の端部に設けることで、粘着部材９の熱による劣化を避けることができる。
【００２０】
以上のように構成された画像読取部１０９で搬送路を搬送中の原稿Ｓの画像を読取る際は、まず、照射ユニット３からの光を、コンタクトガラス６を透過して搬送路を搬送される原稿Ｓに照射する。すると、その反射光がコンタクトガラス６を透過し、ロッドレンズアレイ５により集光される。そして、ロッドレンズアレイ５により集光された光は、ラインセンサ１に受光されて電気信号に変換され、これにより、原稿Ｓの画像が読み取られる。
【００２１】
ついで、本発明に係る清掃部材７について説明する。図５（ａ）、図５（ｂ）、図５（ｃ）に示すように、清掃部材７は、一対からなる湾曲部（付勢部材）７１と、磁性部７２と、清掃部７３とを有して構成されている。一対の湾曲部７１は、それぞれが湾曲した板状の例えば鋼鉄材料からなり、バネ性（弾性）を有していて、図３（ａ）に示すように、コンタクトガラス６から離間する方向に清掃部７３を付勢する。なお、湾曲部７１はバネ性を有していればよく、磁性の有無はどちらでもよい。また、湾曲部７１が湾曲することでバネ性を有するものを説明しているが、例えば屈曲された形状でバネ性を有していてもよい。
【００２２】
図５（ａ）〜（ｃ）に示すように、磁性部７２は、磁性特性を有する磁性体からなる。磁性部７２は、一対の湾曲部７１の凹部中央付近に架け渡されて固着されており、図３（ｂ）に示すように、コンタクトガラス６を介して画像読取部１０９の外部から操作部材８に磁着し得るように構成されている。この磁性部７２と操作部材８との磁着力は、上記湾曲部７１が付与するコンタクトガラス６から離間する方向の付勢力よりも大きく、言い換えると、湾曲部７１の付勢力は、磁性部７２と操作部材８との磁着力よりも小さくなるように構成されている。なお、必ずしも磁性部７２が磁力を有している必要はなく、操作部材８と磁性部７２との少なくとも一方が磁石であればよい。また、湾曲部７１と磁性部７２は、それぞれ付勢力と磁着力とを前述のように発揮できるものである限り、同材料で構成してもよく、同一部材で一体的に構成してもよい。
【００２３】
図５（ａ）〜（ｃ）に示すように、清掃部７３は、磁性部７２の中央部分に固着されており、ゴミの原因にならない部材であって、例えば不織紙やシリコンゴムなどで構成されている。清掃部７３の厚みは、図３（ａ）及び図３（ｂ）に示すように、コンタクトガラス６とロッドレンズアレイ５との隙間Ｄよりも薄くなるように構成されている。つまり、清掃部材７は、コンタクトガラス６とロッドレンズアレイ５との隙間Ｄを移動自在となるように構成されている。
【００２４】
なお、以上説明した清掃部材７を構成する各部（湾曲部７１、磁性部７２、清掃部７３）は、内部での乱反射を避けるために、黒色又はつや消し色（低反射色）にするのが好適である。
【００２５】
ついで、画像読取部１０９における清掃部材７の配置、及び清掃部材７による清掃動作について、図３及び図４に沿って説明する。
【００２６】
清掃部材７は、非清掃状態（即ち通常の画像読取状態）にあって、図３（ａ）に示すように、上述した収納部１０に配置される。収納部１０に配置された清掃部材７は、図４（ａ）に示すように、湾曲部７１の付勢力（バネ性）により、清掃部７３がロッドレンズアレイ５の搬送路側の上面よりも側面支持部４ｃ側に付勢される。これにより、清掃部材７は、収納部１０にて、主走査方向から視て、湾曲部７１によりロッドレンズアレイ５の側面に重なる位置まで付勢されて、ロッドレンズアレイ５により移動が規制される。つまり、清掃部材７の清掃部７３がロッドレンズアレイ５と側面支持部４ｃとの段差状の部分、即ちロッドレンズアレイ５の側面（外側）に引っかかる。このため、清掃部材７は、収納部１０に収納された状態となり、コンタクトガラス６とロッドレンズアレイ５の間には侵入しない。これにより、通常の画像読取時にあって、清掃部材７がセンサ光路上に移動し、光路を遮ることが防止される。
【００２７】
次に清掃部材７による清掃状態について説明する。図４（ｂ）に示すように、コンタクトガラス６を介して外部から（コンタクトガラス６の搬送路側）から操作部材８を例えば収納部１０にある清掃部材７に対向させると、操作部材８と清掃部材７の磁性部７２とが磁着する。すると、操作部材８と清掃部材７の磁性部７２との磁着力が湾曲部７１の付勢力に打勝って、清掃部７３がコンタクトガラス６に密着する。これにより、清掃部材７は、ロッドレンズアレイ５とコンタクトガラス６との間の隙間Ｄに侵入可能になり、この隙間Ｄにおいて移動可能になる。
【００２８】
そして、図３（ｂ）に示すように、操作部材８を主走査方向に移動駆動すると、清掃部材７がコンタクトガラス６のロッドレンズアレイ５側の内面に対して摺動され、コンタクトガラス６の内側を清掃することができる。なお、操作部材８をコンタクトガラス６から離しつつ主走査方向に移動駆動することで、湾曲部７１の付勢力によって清掃部７３をロッドレンズアレイ５に押付けつつ清掃部材７を移動駆動することもできる。これにより、コンタクトガラス６だけでなく、ロッドレンズアレイ５の搬送路側の上面を清掃することもできる。
【００２９】
以上の清掃状態にあって、収納部１０が下になるように画像読取装置１０１を立てると、ロッドレンズアレイ５とコンタクトガラス６の間から清掃されたゴミは、上述した粘着部材９に向けて落下して粘着固定される。これにより、清掃部材７により落下されたゴミが粘着部材９に捕捉される。
【００３０】
その後、清掃部材７による清掃を終了した場合には、図３（ａ）に示すように、清掃部材７を収納部１０の位置になるように操作部材８を操作する。そして、操作部材８をコンタクトガラス６から垂直に離すことで、清掃部材７は湾曲部７１の付勢力によってコンタクトガラス６から離れ、清掃部７３がロッドレンズアレイ５の側面に規制される状態になる。これにより、再び清掃部材７が光路を遮らない位置に止まり、以上で清掃作業を終了する。
【００３１】
以上説明したように本画像読取装置１０１によると、清掃部材７を、センサシャーシ４の内部にあって、ロッドレンズアレイ５とコンタクトガラス６との隙間Ｄに移動可能に配置する。そして、内部に配置された清掃部材７を、外部から操作部材８に磁着し、操作部材８の移動操作によってコンタクトガラス６に対して摺動できる。これにより、密閉されたシートフィードタイプの画像読取装置１０１であっても、操作部材８によって外部からコンタクトガラス６のロッドレンズアレイ５側の内面を清掃することができる。従って、異物を簡単に除去することができ、読取画像の品質の低下を防止することができる。また、清掃のためにコンタクトガラス６を外すことも不要となり、清掃の作業性を向上できる
【００３２】
＜第２の実施の形態＞
ついで、上記第１の実施の形態を一部変更した第２の実施の形態について、図６に沿って説明する。なお、本第２の実施の形態の説明においては、第１の実施の形態と同様の部分について同符号を用い、その説明を省略する。
【００３３】
本第２の実施の形態においては、図６に示すように、ロッドレンズアレイ５がラインセンサ１よりも主走査方向に長く形成されたものである。このように構成されていることで、ロッドレンズアレイ５の端部を走査範囲の無効領域Ｘとし、この無効領域Ｘの範囲に清掃部材７を収納するものである。この際、清掃部材７は、湾曲部７１の付勢力により、清掃部７３がロッドレンズアレイ５の搬送路側の上面に押付けられ、摩擦力によって収納位置に維持される。
【００３４】
なお、これ以外の構成、作用、効果は、第１の実施の形態と同様であるので、その説明を省略する。
【００３５】
＜第３の実施の形態＞
ついで、上記第１の実施の形態を一部変更した第３の実施の形態について、図７に沿って説明する。なお、本第３の実施の形態の説明においては、第１の実施の形態と同様の部分について同符号を用い、その説明を省略する。
【００３６】
本第３の実施の形態においては、図７（ａ）及び図７（ｂ）に示すように、磁性部７２及び清掃部７３の表裏で色を相違させたものである。即ち、清掃部材７は、湾曲部７１、磁性部７２のロッドレンズアレイ５側の下面と、清掃部７３のロッドレンズアレイ５側の裏面部材７３ｂとが、センサシャーシ４と同じように、黒色又はつや消し色（低反射色）である。これにより、センサシャーシ４の内部での乱反射を避けることができる。
【００３７】
一方で、コンタクトガラス６側から視ると、磁性部７２の搬送路側の上面と、清掃部７３の搬送路側の表面部材７３ｆとが、黒色又はつや消し色とは異なる色に形成されている。これにより、コンタクトガラス６側から視て、センサシャーシ４と清掃部材７の磁性部７２及び清掃部７３とが異なる色となり、清掃部材７の視認性が向上し、操作部材８による清掃部材７の操作性を向上することができる。
【００３８】
なお、本実施の形態では、清掃部材７の磁性部７２及び清掃部７３の色を黒色又はつや消し色とは相違させているが、湾曲部７１の色も表裏で相違させてもよい。また、湾曲部７１、磁性部７２、清掃部７３のいずれか１つを黒色又はつや消し色とは異なる色に形成してもよい。
【００３９】
なお、これ以外の構成、作用、効果は、第１の実施の形態と同様であるので、その説明を省略する。
【００４０】
＜第４の実施の形態＞
ついで、上記第１の実施の形態を一部変更した第４の実施の形態について、図８及び図９に沿って説明する。なお、本第３の実施の形態の説明においては、第１の実施の形態と同様の部分について同符号を用い、その説明を省略する。
【００４１】
本第４の実施の形態においては、センサシャーシ４に一体的に形成され、清掃部材７’を収納する収納部１０に延びる保持部材４１を配設してものである。また、清掃部材７’は、第１の実施の形態における清掃部材７に比して、図９（ａ）及び図９（ｂ）に示すように、湾曲部７１を無くしたものである。
【００４２】
図８に示すように、収納部１０に設けられた保持部材４１は、その先端部に凸部４１ａを有するフック状に形成されており、保持部材４１に保持した清掃部材７’を凸部４１ａで引っ掛けて、清掃部材７’が主走査方向に移動しないように保持する。この保持部材４１の凸部４１ａによる清掃部材７’の保持力は、操作部材８により磁性部７２に磁着した磁着力よりも小さく、つまり操作部材８で清掃部材７’を磁着してコンタクトガラス６を清掃する際は、保持部材４１よりロッドレンズアレイ５側に引き出せる。
【００４３】
なお、本実施の形態では、保持部材４１をフック状に形成したものを説明したが、保持部材の形状や保持形態は、どのようなものであってもよい。例えば、保持部材４１を操作部材８よりも磁着力の弱い磁性部材で構成し、清掃部材７’を保持できるようにしてもよい。
【００４４】
また、本実施の形態においては、図９に示すように、清掃部材の湾曲部７１を省いた形で構成できる。このように清掃部材の形状を単純化することで、例えばマグネットラバーを用いた成型で清掃部材７’を製造することもできる。
【００４５】
なお、これ以外の構成、作用、効果は、第１の実施の形態と同様であるので、その説明を省略する。
【００４６】
＜第５の実施の形態＞
ついで、上記第１の実施の形態を一部変更した第５の実施の形態について、図１０に沿って説明する。なお、本第５の実施の形態の説明においては、第１の実施の形態と同様の部分について同符号を用い、その説明を省略する。
【００４７】
本第５の実施の形態においては、コンタクトガラス６の搬送路とは反対側の裏面における収納部１０に対応する部分に、コンタクトガラス６と清掃部材７との間に介在するように、不透明部分（遮蔽部）１１を設けたものである。この不透明部分１１は、コンタクトガラス６に塗装してもよいし、不透明部材を配設してもよい。これにより、非清掃状態において、清掃部材７の少なくとも一部が不透明部分１１に視認不能に隠れるので、清掃部材７が確実に収納部１０に収納されたことを確認できる。また、画像読取状態における照射ユニット３の光源からの漏れ光が、清掃部材７で乱反射し、読取画像に影響することを防止することもできる。
【００４８】
なお、これ以外の構成、作用、効果は、第１の実施の形態と同様であるので、その説明を省略する。
【００４９】
なお、以上説明した第１乃至第５の実施の形態においては、画像読取装置の一例として、シートフィードタイプのものを説明したが、フラットベッドタイプに用いても構わない。
【符号の説明】
【００５０】
１…読取センサ（ラインセンサ）：３…照射ユニット：４…シャーシ部材（センサシャーシ）：５…レンズ部材（ロッドレンズアレイ）：６…ガイド部材（コンタクトガラス）：７、７’…清掃部材：８…操作部材：９…粘着部材：１０…収納部
１１…遮蔽部（不透明部分）：４１…保持部材：７１…付勢部材（湾曲部）：７２…磁性部：７３…清掃部：１０１…画像読取装置：Ｓ…原稿
【図１】
2014014032.tif 000003
【図２】
2014014032.tif 000004
【図３】
2014014032.tif 000005
【図４】
2014014032.tif 000006
【図５】
2014014032.tif 000007
【図６】
2014014032.tif 000008
【図７】
2014014032.tif 000009
【図８】
2014014032.tif 000010
【図９】
2014014032.tif 000011
【図１０】
2014014032.tif 000012